(57)【要約】【課題】着信時や通信開始時のノイズを良好に低減できる携帯電話装置を提供する。【解決手段】本発明の携帯電話装置１は、操作者が操作する入力手段１０と、基地局との通信を実現する通信手段２０と、着信や通信開始を操作者に知らせる通知手段３０と、通知手段を制御する制御手段４０と、を備え、制御手段４０は、基地局からの信号電力が閾値より小さいと、通信を妨害するノイズを抑制するように、通知手段３０を制御する。これにより、着信時や通信開始時のノイズを良好に低減できる。【選択図】図１
2011082729.tif 000002
【特許請求の範囲】
【請求項１】
操作者が操作する入力手段と、
基地局との通信を実現する通信手段と、
着信や通信開始を操作者に知らせる通知手段と、
前記通知手段を制御する制御手段と、を備え、
前記制御手段は、前記基地局からの信号電力が閾値より小さいと、通信を妨害するノイズを抑制するように、前記通知手段を制御する携帯電話装置。
【請求項２】
前記通知手段は表示部を備え、
前記制御手段は、前記基地局からの信号電力が閾値より小さいと、通信を妨害するノイズを抑制するように、前記表示部を制御することを特徴とする請求項１に記載の携帯電話装置。
【請求項３】
前記表示部は、前記制御手段の制御信号に基づいて動作する、液晶ディスプレイ及び液晶ディスプレイ用バックライトを備えることを特徴とする請求項２に記載の携帯電話装置。
【請求項４】
前記制御手段は、着信時や通信開始時に液晶ディスプレイに動画又は静止画を表示させるように、前記液晶ディスプレイを制御し、
前記制御手段は、前記基地局からの信号電力が閾値より小さいと、前記液晶ディスプレイに静止画を表示させ、前記基地局からの信号電力が閾値以上であると、前記液晶ディスプレイに動画を表示させることを特徴とする請求項３に記載の携帯電話装置。
【請求項５】
前記制御手段は、前記基地局からの信号電力が閾値より小さいと、前記液晶ディスプレイ用バックライトの輝度が低くなるように、前記液晶ディスプレイ用バックライトを制御することを特徴とする請求項３又は４に記載の携帯電話装置。
【請求項６】
前記通知手段は、前記入力手段の操作部を照らす操作部用バックライトを備え、
前記制御手段は、前記基地局からの信号電力が閾値より小さいと、通信を妨害するノイズを抑制するように、前記操作部用バックライトを制御することを特徴とする請求項１乃至５のいずれか１項に記載の携帯電話装置。
【請求項７】
前記通知手段は振動発生部を備え、
前記制御手段は、前記基地局からの信号電力が閾値より小さいと、通信を妨害するノイズを抑制するように、前記振動発生部を制御することを特徴とする請求項１乃至６のいずれか１項に記載の携帯電話装置。
【請求項８】
前記通知手段は、スピーカを備え、
前記制御手段は、着信時にスピーカから着信音が鳴動するように、前記スピーカを制御し、
前記制御手段は、前記基地局からの信号電力が閾値より小さいと、通信を妨害するノイズを抑制するように、前記スピーカからの着信音を小さくし、前記基地局からの信号電力が閾値以上であると、前記スピーカからの着信音を設定音量とすることを特徴とする請求項１乃至７のいずれか１項に記載の携帯電話装置。
【請求項９】
操作者が操作する入力手段と、
基地局との通信を実現する通信手段と、
着信や通信開始を操作者に知らせる通知手段と、
前記通知手段を制御する制御手段と、を備える携帯電話装置のノイズ低減方法であって、
前記制御手段は、前記基地局からの信号電力が閾値より小さいと、通信を妨害するノイズを抑制するように、前記通知手段を制御する携帯電話装置のノイズ低減方法。
【請求項１０】
前記制御手段は、前記基地局からの信号電力が閾値より小さいと、通信を妨害するノイズを抑制するように、前記通知手段の表示部を制御することを特徴とする請求項９に記載の携帯電話装置のノイズ低減方法。
【請求項１１】
前記制御手段は、着信時や通信開始時に前記表示部の液晶ディスプレイに動画又は静止画を表示させるように、前記液晶ディスプレイを制御し、前記基地局からの信号電力が閾値より小さいと、前記液晶ディスプレイに静止画を表示させ、前記基地局からの信号電力が閾値以上であると、前記液晶ディスプレイに動画を表示させることを特徴とする請求項１０に記載の携帯電話装置のノイズ低減方法。
【請求項１２】
前記制御手段は、前記基地局からの信号電力が閾値より小さいと、前記表示部の液晶ディスプレイ用バックライトの輝度が低くなるように、前記液晶ディスプレイ用バックライトを制御することを特徴とする請求項１０又は１１に記載の携帯電話装置のノイズ低減方法。
【請求項１３】
前記制御手段は、前記基地局からの信号電力が閾値より小さいと、通信を妨害するノイズを抑制するように、前記入力手段の操作部を照らす、前記通知手段の操作部用バックライトを制御することを特徴とする請求項９乃至１２のいずれか１項に記載の携帯電話装置のノイズ低減方法。
【請求項１４】
前記制御手段は、前記基地局からの信号電力が閾値より小さいと、通信を妨害するノイズを抑制するように、前記通知手段の振動発生部を制御することを特徴とする請求項９乃至１３のいずれか１項に記載の携帯電話装置のノイズ低減方法。
【請求項１５】
前記制御手段は、着信時に前記通知手段のスピーカから着信音が鳴動するように、前記スピーカを制御し、前記基地局からの信号電力が閾値より小さいと、前記スピーカからの着信音を小さくし、前記基地局からの信号電力が閾値以上であると、前記スピーカからの着信音を設定音量とすることを特徴とする請求項９乃至１４のいずれか１項に記載の携帯電話装置のノイズ低減方法。
【発明の詳細な説明】
【技術分野】
【０００１】
本発明は、携帯電話装置及び携帯電話装置のノイズ低減方法に関する。
【背景技術】
【０００２】
携帯電話装置は、着信時や通信開始時に、基地局からの信号電力が小さいなどの理由により電波状況が悪くなる場合がある。このとき、携帯電話装置の通信機能以外の動作により発生するノイズが原因で電波状況がさらに劣化し、通信が失敗するという問題があった。例えば、着信時や通信開始時にノイズの発生源となる携帯電話装置の通信機能以外の動作としては、発信中又は着信中の液晶ディスプレイへのアニメーション表示、メール送信中又は着信中の液晶ディスプレイへのアニメーション表示、パケット通信開始時の液晶ディスプレイへのアニメーション表示、液晶ディスプレイ用のバックライト点灯、操作部のバックライト点灯、バイブレータ振動、スピーカからの着信音鳴動、などが挙げられる。
【０００３】
そこで、以下に示すように、ノイズを低減することを目的とした携帯電話装置が開示されている。
特許文献１、２には、通話中の受信電界強度に基づいて、当該受信電界強度による電子ボリュームの出力周波数帯域中ノイズの発生が大きい周波数帯域をカットする携帯電話装置が開示されている。
ところで、特許文献３には、受信電界強度に基づいて、着信メロディの音質を変化させる携帯電話装置が開示されている。
また、特許文献４には、ＥＬ（Electroluminescence）点灯時に発生するノイズ異音を聞かせないように、通話状態であることを検知すると、ＥＬによる照明をオフにする携帯電話装置が開示されている。
【先行技術文献】
【特許文献】
【０００４】
【特許文献１】特開平８−３１６８５４号公報
【特許文献２】特開平１０−２８０８７号公報
【特許文献３】特開２００３−５１８６３号公報
【特許文献４】特開２０００−３３２８６１号公報
【発明の概要】
【発明が解決しようとする課題】
【０００５】
特許文献１、２の携帯電話装置は、受信電界強度による電子ボリュームの出力周波数帯域中ノイズの発生が大きい周波数帯域をカットするので、音声が途切れて通話ができなくなる場合がある。
特許文献３の携帯電話装置は、着信メロディの音質に基づいて、操作者は受信電界強度を知ることができるが、ノイズを低減できる構成ではない。
特許文献４の携帯電話装置は、ＥＬ消灯時に発生するノイズを低減できるが、着信時や通信開始時のノイズを低減できる構成ではない。
【０００６】
本発明の目的は、上述した課題を解決する携帯電話装置及び携帯電話装置のノイズ低減方法を提供することにある。
【課題を解決するための手段】
【０００７】
本発明の携帯電話装置は、操作者が操作する入力手段と、基地局との通信を実現する通信手段と、着信や通信開始を操作者に知らせる通知手段と、前記通知手段を制御する制御手段と、を備え、前記制御手段は、前記基地局からの信号電力が閾値より小さいと、通信を妨害するノイズを抑制するように、前記通知手段を制御する。
【０００８】
本発明の携帯電話装置のノイズ低減方法は、操作者が操作する入力手段と、基地局との通信を実現する通信手段と、着信や通信開始を操作者に知らせる通知手段と、前記通知手段を制御する制御手段と、を備える携帯電話装置のノイズ低減方法であって、前記制御手段は、前記基地局からの信号電力が閾値より小さいと、通信を妨害するノイズを抑制するように、前記通知手段を制御する。
【発明の効果】
【０００９】
本発明によれば、着信時や通信開始時のノイズを良好に低減できる携帯電話装置及び携帯電話装置のノイズ低減方法を提供することができる。
【図面の簡単な説明】
【００１０】
【図１】本発明の第１の実施の形態の携帯電話装置を概略的に示すブロック図である。
【図２】携帯電話装置の各部位での電圧の変動により、発生する電磁波（ノイズ）を説明する図である。
【図３】信号線上の電圧の高低により、発生する電磁波（ノイズ）を説明する図である。
【図４】静止画を液晶ディスプレイに表示させる場合に発生するノイズ電力を示すグラフである。
【図５】動画を液晶ディスプレイに表示させる場合に発生するノイズ電力を示すグラフである。
【図６】本発明の第１の実施の形態の携帯電話装置における発信動作を示すフローチャートである。
【図７】本発明の第１の実施の形態の携帯電話装置における着信動作を示すフローチャートである。
【図８】予め設定された輝度で液晶ディスプレイ用バックライトを発光させた場合に発生するノイズ電力を示すグラフである。
【図９】予め設定された輝度に比べて低い輝度で液晶ディスプレイ用バックライトを発光させた場合に発生するノイズ電力を示すグラフである。
【図１０】予め設定された回転数でモータを回転させた場合に発生するノイズ電力を示すグラフである。
【図１１】予め設定された回転数に比べて低い回転数でモータを回転させた場合に発生するノイズ電力を示すグラフである。
【図１２】予め設定された音量でスピーカから着信音を鳴動させた場合に発生するノイズ電力を示すグラフである。
【図１３】予め設定された音量に比べて小さい音量でスピーカから着信音を鳴動させた場合に発生するノイズ電力を示すグラフである。
【発明を実施するための形態】
【００１１】
本発明の実施の形態に係る携帯電話装置及び携帯電話装置のノイズ低減方法について説明する。但し、本発明が以下の実施の形態に限定される訳ではない。また、説明を明確にするため、以下の記載及び図面は、適宜、簡略化されている。
【００１２】
＜第１の実施の形態＞
本実施の形態の携帯電話装置１は、図１に示すように、入力手段１０、通信手段２０、通知手段３０、制御手段４０を備える。
入力手段１０は、操作者が操作する。入力手段１０は、入力キー（操作部）１１、マイク１２を備える。入力キー１１は、電話番号や文字の入力、発着呼開始、通話終了などを操作者が携帯電話装置１に対して指示する際に使用する。
【００１３】
通信手段２０は、基地局との通信を実現する。通信手段２０は、無線部２１、アンテナ２２を備える。無線部２１は、電波状況の検出や、基地局との通信を行う。つまり、無線部２１は、マイク１２を介して入力された音声を電波に乗せる変調や、基地局（図示を省略）からアンテナ２２を介して入力された電波から音声を取り出す復調などを行う。アンテナ２２は、電波の送受信を行う。
【００１４】
通知手段３０は、着信や通信開始、パケット通信中であることを操作者に知らせる。通知手段３０は、表示部３１、操作部用バックライト３２、バイブレータ（振動発生部）３３、スピーカ３４、レシーバ３５を備える。表示部３１は、液晶ディスプレイ（ＬＣＤ：liquid crystal monitor）３１１、液晶ディスプレイ用バックライト３１２を備える。液晶ディスプレイ３１１は、画像を表示する。液晶ディスプレイ用バックライト３１２は、液晶ディスプレイ３１１を背面から照らす。操作部用バックライト３２は、入力キー１１を背面から照らす。バイブレータ３３は、着信時などに振動する。スピーカ３４は、着信時などに予め設定された着信音を鳴動する。レシーバ３５は、音声通話の際に、通話先の音声を出力する。これらの表示部３１、操作部用バックライト３２、バイブレータ３３、スピーカ３４、レシーバ３５は、制御手段４０に制御される。
【００１５】
制御手段４０は、通知手段３０を制御する。制御手段４０は、データ処理部４１、記憶部４２を備える。データ処理部４１は、記憶部４２に格納されている制御プログラムに基づいて、当該携帯電話装置１が備える各種機能を実行するための制御を行う。例えば、データ処理部４１には、マイク１２を介して音声信号が入力される。データ処理部４１は、当該音声信号を音声コーデックしてデジタル化した信号を無線部２１に出力する。また、データ処理部４１は、無線部２１から入力される復調信号に対して所定の処理を施し、レシーバ３５に出力する。データ処理部４１は、無線部２１から復調信号を入力されると、着信を操作者に知らせるべく、液晶ディスプレイ３１１及び液晶ディスプレイ用バックライト３１２を制御し、当該液晶ディスプレイ３１１に予め設定された動画（アニメーション）を表示させる。同時に、データ処理部４１は、着信を操作者に知らせるべく、バイブレータ３３を制御して振動を発生させる。一方、データ処理部４１は、操作者が入力キー１１を操作して電話番号や文字の入力、発呼開始の指示を携帯電話装置１に対して行うと、通信開始を操作者に知らせるべく、液晶ディスプレイ３１１及び液晶ディスプレイ用バックライト３１２を制御し、当該液晶ディスプレイ３１１に予め設定された動画を表示させる。データ処理部４１は、無線部２１から復調信号が入力されたり、操作者が入力キー１１を操作して電話番号や文字の入力、発呼開始の指示を行うと、着信又は通信開始を操作者に知らせるべく、操作部用バックライト３２を制御し、入力キー１１に対して照明する。
【００１６】
このようにデータ処理部４１が、着信又は通信開始を操作者に知らせるべく、液晶ディスプレイ３１１、液晶ディスプレイ用バックライト３１２、操作部用バックライト３２、バイブレータ３３を制御した際に、上述のようにノイズが発生する場合がある。例えば、液晶ディスプレイ３１１に画像を表示させる際には、データ処理部４１は、記憶部４２から必要とする情報を取り込み、当該液晶ディスプレイ３１１に表示させるという処理を行う。このとき、各部位が動作するということは、図２に示すように、各部位にて内部の電圧が変動することになり、電圧の変化は空間に不用な電磁波（ノイズ）を発生させる。また、図３に示すように、各部位間の情報の伝達を信号線上の電圧の高低により行っているため、信号線からも空間に不要な電磁波（ノイズ）が発生する。このように図２及び３で示される不用な電磁波（ノイズ）は、アンテナ２２に入力され、通信を妨害する要因となる。
【００１７】
例えば、図４に静止画を液晶ディスプレイ３１１に表示させる場合に発生するノイズ電力のグラフを示す。図４は横軸が時間で、縦軸がノイズ電力を示す。静止画の画像切替を行った瞬間にノイズ電力が増えている例を示している。
続いて、図５に動画を液晶ディスプレイ３１１に表示させる場合に発生するノイズ電力のグラフを示す。動画を液晶ディスプレイ３１１に表示するためにはフレーム毎に表示画像を切り替える処理をデータ処理部４１が行うことになる。つまり、液晶ディスプレイ３１１に動画を表示する場合、画像を切り替えるフレームタイミング毎にノイズが発生する。
図４と図５を比較すると、図４は図５よりもノイズが発生する時間が短い。この差分により、静止画を表示させるほうが通信機能への影響が少ないことがわかる。
【００１８】
そこで、本実施の形態では、予め基地局からの信号電力が閾値より小さい時に、液晶ディスプレイ３１１に表示させる静止画が記憶部４２に格納されている。データ処理部４１は、基地局からの信号電力が閾値より小さいと、液晶ディスプレイ３１１に静止画を表示させる。これにより、着信や通信開始の際に液晶ディスプレイ３１１の制御に起源するノイズを良好に低減できる。ちなみに、当該閾値は、携帯電話装置１が発呼／着呼時の通常動作にて発生するノイズの大きさを基準に決定される。
【００１９】
このような構成の携帯電話装置１は、例えば図６に示すように発信動作する。
先ず、データ処理部４１は、操作者が入力キー１１を操作して電話番号を入力し、発呼開始の指示を行ったか否かを判断する（Ｓ１０１）。このとき、データ処理部４１は、操作者が発呼開始の指示を行ったと判断すると、基地局との間で通信準備を行うが、当該基地局から返信される信号電力が閾値以上であるか否かを判断する（Ｓ１０２）。一方、データ処理部４１は、操作者が発呼開始の指示を行っていないと判断すると、Ｓ１０１の動作を繰り返す。
【００２０】
データ処理部４１は、当該信号電力が閾値以上であると、予め設定された動画を記憶部４２から呼び出し、当該動画を液晶ディスプレイ３１１に表示させる（Ｓ１０３）。一方、データ処理部４１は、当該信号電力が閾値より小さいと、予め設定された静止画を記憶部４２から呼び出し、当該静止画を液晶ディスプレイ３１１に表示させる（Ｓ１０４）。
【００２１】
データ処理部４１は、例えば通話相手の電話番号を送出し、所謂音声通話接続動作を行い、相手方の例えば携帯電話装置との通話を実行する（Ｓ１０５、Ｓ１０６）。このとき、データ処理部４１は、液晶ディスプレイ３１１に通話中の画像を表示させる。
【００２２】
データ処理部４１は、操作者が入力キー１１を操作して音声通話終了の指示を行ったか否かを判断する（Ｓ１０７）。データ処理部４１は、操作者が音声通話終了の指示を行ったと判断すると、音声通話を終了させ、液晶ディスプレイ３１１に音声通話終了画像を表示させ、さらに待受画像を表示させる（Ｓ１０８〜Ｓ１１０）。一方、データ処理部４１は、操作者が音声通話終了の指示を行っていないと判断すると、Ｓ１０７の動作を繰り返す。
【００２３】
また、このような構成の携帯電話装置１は、例えば図７に示すように着信動作する。
先ず、データ処理部４１は、無線部２１から復調信号が入力されたか否かを判断する。つまり、データ処理部４１は、着信入力があったか否かを判断する（Ｓ２０１）。データ処理部４１は、着信入力があったと判断すると、当該復調信号の信号電力が閾値以上であるか否かを判断する（Ｓ２０２）。一方、データ処理部４１は、着信入力がないと判断すると、Ｓ２０１の動作を繰り返す。
【００２４】
データ処理部４１は、当該信号電力が閾値以上であると、予め設定された動画を記憶部４２から呼び出し、当該動画を液晶ディスプレイ３１１に表示させる（Ｓ２０３）。一方、データ処理部４１は、当該信号電力が閾値より小さいと、予め設定された静止画を記憶部４２から呼び出し、当該静止画を液晶ディスプレイ３１１に表示させる（Ｓ２０４）。
【００２５】
データ処理部４１は、例えば操作者が入力キー１１を操作し、受話操作を行ったか否かを判断する（Ｓ２０５）。データ処理部４１は、操作者が受話操作を行ったと判断すると、所謂音声通話接続動作を行い、相手方の例えば携帯電話装置との通話を実行する（Ｓ２０６、Ｓ２０７）。このとき、データ処理部４１は、液晶ディスプレイ３１１に通話中の画像を表示させる。一方、データ処理部４１は、操作者が受話操作を行っていないと判断すると、Ｓ２０５の動作を繰り返す。ちなみに、音声通話接続動作とは、基地局からの呼出要求に対して携帯電話装置１が接続要求を返し、基地局から接続応答が返信されることで音声通話の接続を行うことを云う。
【００２６】
データ処理部４１は、操作者が入力キー１１を操作して音声通話終了の指示を行ったか否かを判断する（Ｓ２０８）。データ処理部４１は、操作者が音声通話終了の指示を行ったと判断すると、音声通話を終了させ、液晶ディスプレイ３１１に音声通話終了画像を表示させ、さらに待受画像を表示させる（Ｓ２０９〜Ｓ２１１）。一方、データ処理部４１は、操作者が音声通話終了の指示を行っていないと判断すると、Ｓ２０８の動作を繰り返す。
これにより、着信時や通信開始時に液晶ディスプレイ３１１の制御に起源するノイズを良好に低減できる。
【００２７】
＜第２の実施の形態＞
液晶ディスプレイ３１１に画像を表示させる際には、液晶ディスプレイ用バックライト（ＬＣＤバックライト）３１２を点灯させる必要がある。このとき、図８及び９に示すように液晶ディスプレイ用バックライト３１２の輝度の大きさにより、発生するノイズ量が異なる。
【００２８】
そこで、本実施の形態のデータ処理部４１は、基地局からの信号電力が閾値より小さいと、液晶ディスプレイ用バックライト３１２の輝度が低くなるように、当該液晶ディスプレイ用バックライト３１２を制御している。これにより、着信時や通信開始時に液晶ディスプレイ用バックライト３１２の制御に起源するノイズを良好に低減できる。一方、データ処理部４１は、基地局からの信号電力が閾値以上であると、液晶ディスプレイ用バックライト３１２を予め設定された輝度に発光させる。
【００２９】
また、操作部用バックライト３２についても同様のことが言えるので、データ処理部４１は、基地局からの信号電力が閾値より小さいと、操作部用バックライト３２の輝度が低くなるように、当該操作部用バックライト３２を制御しても良い。一方、データ処理部４１は、基地局からの信号電力が閾値以上であると、操作部用バックライト３２を所定の輝度で発光させる。
なお、バックライトの輝度を低くする量は、適宜設定されるが、ノイズを良好に低減できる量であれば良い。
【００３０】
＜第３の実施の形態＞
バイブレータ３３の振動によっても、上述のようにノイズが発生するが、図１０及び１１に示すようにバイブレータ３３のモータ回転数を減らすと、発生するノイズ量を減らすことができる。
【００３１】
そこで、本実施の形態のデータ処理部４１は、基地局からの信号電力が閾値より小さいと、バイブレータ３３のモータ回転数が少なくなるように、当該モータを制御している。これにより、着信時や通信開始時にバイブレータ３３の制御に起源するノイズを良好に低減できる。一方、データ処理部４１は、基地局からの信号電力が閾値以上であると、バイブレータ３３のモータを予め設定された回転数に回転させる。
なお、バイブレータ３３のモータ回転数を減らす量は、適宜設定されるが、ノイズを良好に低減できる量であれば良い。
【００３２】
＜第４の実施の形態＞
スピーカ３４からの着信音の鳴動によっても、上述のようにノイズが発生するが、図１２及び１３に示すようにスピーカ３４の着信音を小さくすると、発生するノイズ量を減らすことができる。
【００３３】
そこで、本実施の形態のデータ処理部４１は、基地局からの信号電力が閾値より小さいと、スピーカ３４の着信音が小さくなるように、スピーカ３４を制御している。これにより、着信時や通信開始時にスピーカ３４の制御に起源するノイズを良好に低減できる。一方、データ処理部４１は、基地局からの信号電力が閾値以上であると、スピーカ３４に予め設定された音量で着信音を鳴動させる。
なお、スピーカ３４からの着信音を小さくする量は、適宜設定されるが、ノイズを良好に低減できる量であれば良い。
【００３４】
本発明は上記実施の形態に限られたものではなく、趣旨を逸脱しない範囲で適宜変更することが可能である。
例えば、上記実施の形態では、データ処理部４１が通知手段３０を構成する要素を単独で制御しているが、複数の要素を組み合わせて制御すると、より高い効果が得られる。
例えば、上記実施の形態では、液晶ディスプレイ３１１に表示される画像を動画から静止画に変更しているが、動画から動きの少ない動画に変えても良い。
【符号の説明】
【００３５】
１  携帯電話装置
１０  入力手段、１１  入力キー、１２  マイク
２０  通信手段、２１  無線部、２２  アンテナ
３０  通知手段、３１  表示部、３１１  液晶ディスプレイ、３１２  液晶ディスプレイ用バックライト、３２  操作部用バックライト、３３  バイブレータ、３４  スピーカ、３５  レシーバ
４０  制御手段、４１  データ処理部、４２  記憶部
【図１】
2011082729.tif 000003
【図２】
2011082729.tif 000004
【図３】
2011082729.tif 000005
【図４】
2011082729.tif 000006
【図５】
2011082729.tif 000007
【図６】
2011082729.tif 000008
【図７】
2011082729.tif 000009
【図８】
2011082729.tif 000010
【図９】
2011082729.tif 000011
【図１０】
2011082729.tif 000012
【図１１】
2011082729.tif 000013
【図１２】
2011082729.tif 000014
【図１３】
2011082729.tif 000015